(57)【要約】【課題】引き紐の後端部を体に結着させると同時に、把持部を手で持つことにより、愛玩動物を安全且つ安心して散歩させることのできる愛玩動物用引き紐を提供する。【解決手段】一本の引き紐の中間部分に環状の把持部１４と把持部１４に結着した第１リング１５を備え、引き紐の先端部に愛玩動物の首輪又は胴輪に連結可能な第１フック１２を結着するとともに、引き紐の後端部に第２フック１３を結着し、第２フック１３は第１リング１５に係脱可能である。該引き紐の先端部と前記把持部１４との間に第２リング２８が摺動可能に挿通され、両端部にフック３２，３３を結着した延長引き紐３１を有し、該フックのいずれか３２と第２フック１３とが係脱可能に係合している。【選択図】 図５
2009055887.tif 000002
【特許請求の範囲】
【請求項１】
一本の引き紐の中間部分に環状の把持部（１４）と該引き紐及び／又は把持部（１４）に結着した第１リング（１５）とを備え、
前記引き紐の先端部に愛玩動物の首輪又は胴輪に連結可能な第１フック（１２）を結着すると共に、該引き紐の後端部に第２フック（１３）を結着し、
前記第２フック（１３）は前記第１リング（１５）に係脱可能であることを特徴とする愛玩動物用引き紐（１０）。
【請求項２】
第２リング（２８）が該引き紐の先端部と前記把持部（１４）との間に摺動可能に挿通されていることを特徴とする請求項１に記載の愛玩動物用引き紐（２０）。
【請求項３】
両端部にフック（３２，３３）を結着した延長引き紐（３１）を有し、該フックのいずれか（３２）と前記第２フック（１３）とが係脱可能に係合していることを特徴とする請求項１又は２に記載の愛玩動物用引き紐（３０）。
【発明の詳細な説明】
【技術分野】
【０００１】
本発明は、犬などの散歩のときなどに使用できる愛玩動物用引き紐に関する。
【背景技術】
【０００２】
従来、愛玩動物用引き紐として、１本の引き紐の中間部分に挿通孔を有する摺動係止具を摺動可能に挿通し、該引き紐の先端部に愛玩動物の首輪又は胴輪に連結可能な第１フックを結着するとともに、該引き紐の後端部に第２フックを結着し、前記摺動係止具に該第２フックが係止可能な係止孔を有するものが知られている。（特許文献１参照）
【特許文献１】特開２００２−１９１２５１号公報
【発明の開示】
【発明が解決しようとする課題】
【０００３】
このような従来の愛玩動物用引き紐では、引き紐の後端部に結着した第２フックを引き紐の中間部分に摺動可能に取り付けられた摺動係止具の係止孔に係止することにより引き紐の後端部を含む部分が輪状となり、この部分が把持部となる。しかしながら、このような把持部は、摺動係止具において引き紐が滑り把持部の輪状が縮小して人の手を締め付けてしまうという課題があった。
また、愛玩動物用引き紐を手に持って散歩していると、特に暑い夏や寒い冬の日などに体調によっては引き紐が手から離れてしまうのではないかとの緊張感・不安感が散歩中に生じることがあった。
【０００４】
従来の愛玩動物用引き紐は、摺動係止具の位置を調整して大型犬なら肩に掛けられる様に引き紐の輪状を大きくすることもできるが、該輪状の引き紐を肩にかけるために使用するので、把持部として使用できないという課題があった。
【０００５】
さらに、従来の愛玩動物用引き紐では、飼い主が複数人で愛玩動物を散歩させるとき、一人が把持部を持つと同時に別の人が引き紐の後端部を体に結着ることができないという課題があった。
【０００６】
本発明は、このような従来技術の有する課題に鑑みてなされたものであり、引き紐の後端部を体に結着させると同時に、把持部を手で持つことにより、愛玩動物を安全且つ安心して散歩させることのできる愛玩動物用引き紐を提供する。
【０００７】
本発明は、さらに、一人が引き紐の後端部を体に結着させるとともに、他の人が引き紐の中間部に設けられた把持部を持つことにより、複数人が愛玩動物を安全且つ安心して散歩させることのできる愛玩動物用引き紐を提供する。
【課題を解決するための手段】
【０００８】
一本の引き紐の中間部分に環状の把持部（１４）と該引き紐及び／又は把持部（１４）に結着した第１リング（１５）とを備え、前記引き紐の先端部に愛玩動物の首輪又は胴輪に連結可能な第１フック（１２）を結着するとともに、該引き紐の後端部に第２フック（１３）を結着し、前記第２フック（１３）は前記第１リング（１５）に係脱可能である愛玩動物用引き紐（１０）を提供する。
【０００９】
また、本発明において、第２リング（２８）が該引き紐の先端部と前記把持部（１４）との間に摺動可能に挿通されている愛玩動物用引き紐（２０）であることが好ましい。このことにより、大きな立木などに愛玩動物を係留させることが可能となる。
【００１０】
さらに、本発明において、両端部にフック（３２，３３）を結着した延長引き紐（３１）を有し、該フックのいずれか（３２）と前記第２フック（１３）とが係脱可能に係合していることが好ましい。このことにより、前記延長引き紐（３１）の一端を飼い主の体に結着し、前記把持部（１４）を別の人が持つことにより、複数人で愛玩動物の散歩をすることができる。
【発明の効果】
【００１１】
このように本発明によると、引き紐の後端部にフック（１３）が設けられているので該フックを飼い主のショルダーベルト又は腰ベルトと結着させることができる。また、引き紐の中間部分に把持部（１４）が固着して設けられているので、把持部の輪状が縮小して飼い主の手を締め付けてしまうことがない。このため、暑い夏や寒い冬の日などにおいても引き紐が手から離れてしまうのではないかとの緊張感・不安感から解放され、愛玩動物を安全且つ安心して散歩させることのできる愛玩動物用引き紐を提供することができる。
【００１２】
さらに、本発明の別の態様によると、両端部にフックを結着した延長引き紐（３１）を有し、該フックのいずれか（３２）と前記第２フック（１３）とが係脱可能に係合しているので、例えば飼い主が複数人で愛玩動物を散歩させるとき、一人が把持部を持ち、別の人が延長引き紐（３１）の後端部のフック（３３）を体に結着させることのできる愛玩動物用引き紐を提供することができる。
【発明を実施するための最良の形態】
【００１３】
以下、本発明の実施例の形態について詳細に説明するが、本発明は、これに限定されて解釈されるものではなく、本発明の範囲を逸脱しない限りにおいて、当業者の知識に基づいて、種々の変更、修正、改良を加え得るものである。
【実施例１】
【００１４】
図１は、本発明の第１の実施例１の形態である愛玩動物用引き紐の構成を示し、該愛玩動物用引き紐１０は１本のロープ１１、第１フック１２、第２フック１３、把持部１４、及び、第１リング１５よりなり、該ロープ１１は例えばナイロン糸を織って綱状に形成されている。
【００１５】
前記ロープ１１には、その先端部に愛玩動物の首輪や胴輪に係止することのできる第１フック１２が結着され、その後端部に飼い主のショルダーベルト又は腰ベルトと結着させることができる第２フック１３が結着されている。
【００１６】
また、ロープ１１の中間部分には、環状の把持部１４と該ロープ１１及び／又は把持部１４に結着した第１リング１５が設けられている。
【００１７】
次に、上記の第１の実施例１の形態である愛玩動物用引き紐１０の使用方法を図２により説明する。
【００１８】
先ず、愛玩動物用引き紐１０の先端に設けられた第１フック１２を愛玩動物Ｐの首輪や胴輪の係止環に係止する。次に、飼い主Ｍが左肩から右脇の下にかけて装着しているショルダーベルト１６に設けられた係止孔１７に第２フック１３を係止して愛玩動物用引き紐１０を介して愛玩動物Ｐを飼い主Ｍの体に結びつける。したがって、飼い主Ｍは把持部１４を手で持って愛玩動物Ｐを散歩させることができ、愛玩動物の小さな動きに対しても機敏に対処できる。また、愛玩動物用引き紐１０の後端の第２フック１３が飼い主Ｍが装着しているショルダーベルト１６に結びつけられているので、暑い夏や寒い冬の日などにおいても引き紐１０が手から離れてしまうのではないかとの緊張感・不安感から解放され、愛玩動物を安全且つ安心して散歩させることができる。
【００１９】
更に、図示しないが、散歩の途中、買い物などするときに、立木や柵などにロープ１１を巻いて愛玩動物用引き紐１０の後端に設けられている第２フック１３をロープ１１の中間部分に該ロープ１１及び把持部１４に結着して設けられた第１リング１５に係止することにより、愛玩動物Ｐを立木や柵などに係留させることができる。
【実施例２】
【００２０】
次に、本発明の第２の実施例２の形態を図３により説明する。なお、図３において、図１で用いた構成要素と同一の構成要素には同一符号を付し、その説明は省略する。
【００２１】
図３は本発明の第２の実施例２の形態である愛玩動物用引き紐の構成２０を示し、該愛玩動物用引き紐２０は第２リング２８が該愛玩動物用引き紐２０の先端部と前記把持部１４との間で摺動可能に挿通している。
【００２２】
このことにより、散歩中周囲に大きな立木しかなく、他に係留させるのに適当な大きさの立木などがない場合であっても、愛玩動物Ｐを該大きな立木に係留させることができる。つまり、図４に示すように、大きな立木などにロープ１１を巻いて第２フック１３を第２リング２８７に係止して、愛玩動物Ｐを係留させることができる。
【実施例３】
【００２３】
次に、本発明の第３の実施例３の形態を図５により説明する。なお、図５において、図１で用いた構成要素と同一の構成要素には同一符号を付し、その説明は省略する。
【００２４】
図５は本発明の第３の実施例３の形態である愛玩動物用引き紐の構成３０を示す。該愛玩動物用引き紐３０は、その両端部に２つのフック３２，３３を結着した延長引き紐３１を有し、２つのフックのうちの一方のフック３２と前記第２フック１３とが係脱可能に係合している。
【００２５】
次に、上記の第３の実施例３の形態である愛玩動物用引き紐３０の使用方法を図面により説明する。
【００２６】
まず、第１の使用方法として、図６に示す如く、愛玩動物用引き紐３０の先端部に設けられた第１フック１２を愛玩動物Ｐの首輪や胴輪の係止環に係止し、次に飼い主Ｍが左肩から右脇の下にかけて装着しているショルダーベルト１６に設けられた係止孔１７に愛玩動物用引き紐３０の後端部に設けられたフック３３を係止することにより愛玩動物用引き紐３０を介して愛玩動物Ｐを飼い主Ｍの体に結びつける。
【００２７】
この場合、散歩中、飼い主の子供Ｃは把持部１４を手で持って愛玩動物を直接コントロールすることができる。
【００２８】
このように、飼い主Ｍが親子で愛玩動物を散歩させるとき、たとえ愛玩動物が力のある大型犬ＰＣであったとしても、愛玩動物用引き紐３０の後端を親Ｍの体に結びつけており、子供Ｃがその中間部分に設けられている把持部１４を持っているので、飼い主親子が力のある大型犬ＰＣを安全に安心して散歩させることができる。
【００２９】
次に、第２の使用方法として、図示しないが、大きな立木などに延長引き紐３１を巻いてフック３３を第１リング１５に係止して、愛玩動物Ｐを大きな立木などに係留させることができる。つまり、散歩中周囲に大きな立木しかなく、他に係留させるのに適当な大きさの立木などがない場合であっても、愛玩動物Ｐを該大きな立木に係留させることができる。
【００３０】
上記の本発明の実施の態様において、ロープ１１のかわりにベルトなどの帯状体を使用しても、同様な効果を発揮することができる。
【産業上の利用可能性】
【００３１】
本発明は、愛玩動物用引き紐の後端部を体に結着させると同時に、把持部を手で持つことにより、愛玩動物を安全且つ安心して散歩させることのできる愛玩動物用引き紐として利用できる。
【図面の簡単な説明】
【００３２】
【図１】本発明の第１の実施例１の形態の愛玩動物用引き紐１０の斜視図である。
【図２】本発明の第１の実施例１の形態に愛玩動物用係る引き紐１０の使用方法を示す斜視図である。
【図３】本発明の第２の実施例２の形態の愛玩動物用引き紐２０の斜視図である。
【図４】本発明の第２の実施例２の形態に愛玩動物用係る引き紐２０の使用方法を示す斜視図である。
【図５】本発明の第３の実施例３の形態の愛玩動物用引き紐３０の斜視図である。
【図６】本発明の第３の実施例３の形態に係る愛玩動物用引き紐３０の使用方法を示す斜視図である。
【符号の説明】
【００３３】
１０，２０，３０   引き紐
１１                       ロープ
１２                       第１フック
１３                       第２フック
１４                       把持部
１５                       第１リング
２８                       第２リング
３２，３３         フック
【図１】
2009055887.tif 000003
【図２】
2009055887.tif 000004
【図３】
2009055887.tif 000005
【図４】
2009055887.tif 000006
【図５】
2009055887.tif 000007
【図６】
2009055887.tif 000008